(57)【特許請求の範囲】
【請求項１】
光を発光する第１発光部と、
前記第１発光部が搭載される第１筐体と、
光を受光する第１受光部と、
前記第１受光部が搭載されるとともに前記第１筐体に対して回転軸を中心に回転可能に連結される第２筐体と、
前記第１受光部における前記第１発光部から発光された光の受光の有無を検出することにより、前記第１筐体に対する前記第２筐体の回転位置を検出する検出部と、を備え、
前記第２筐体は、前記第１筐体に対する該第２筐体の回転角度が予め設定された設定角度の倍数となる複数の回転位置で、前記第１筐体に保持され、
前記第１発光部は、前記第１筐体において、前記回転軸を中心とする第１の円周上における前記設定角度の倍数となる複数の位置のうちの一部または全部に配置され、
前記第１受光部は、前記第２筐体において、前記回転軸を中心とするとともに前記第１の円周に対向する第２の円周上における前記設定角度の倍数となる複数の位置のうちの一部または全部に配置されているとともに、前記複数の回転位置のうちの任意の回転位置における前記第１発光部の配置パターンと前記複数の回転位置のうちの他の回転位置における前記第１発光部の配置パターンとが同じ配置パターンを取らないように配置され、
前記第１発光部から発光された光を前記第１受光部で受光することにより、前記第１筐体から前記第２筐体へ信号が伝達される携帯電子機器。
【請求項２】
３６０度を前記設定角度で除して得られる整数を整数Ｎとし、
前記第１の円周上における前記設定角度の倍数となる位置に配置される前記第１発光部の個数を第１の個数Ｌとし、
前記第２の円周上における前記設定角度の倍数となる位置に配置される前記第１受光部の個数を第２の個数Ｒとした場合に、
前記整数Ｎ、前記第１の個数Ｌ及び前記第２の個数Ｒは、以下の式１及び式２に示す関係を満たす請求項１に記載の携帯電子機器。
式１；Ｌ≦Ｒ≦Ｎ
式２；Ｎ≦Ｌ＋Ｒ≦２Ｎ−１
【請求項３】
前記整数Ｎ、前記第１の個数Ｌ及び前記第２の個数Ｒは、以下の式３に示す関係を更に満たす請求項２に記載の携帯電子機器。
式３；Ｌ＋Ｒ≧Ｎ＋１
【請求項４】
前記第２筐体における前記回転軸と重なる位置に搭載される第２発光部と、
前記第１筐体における前記回転軸と重なる位置に搭載されるとともに前記第２発光部に対向して配置される第２受光部と、を更に備え、
前記第２発光部から発光された光を前記第２受光部で受光することにより、前記第２筐体から前記第１筐体へ信号が伝達される請求項１から請求項３のいずれか１項に記載の携帯電子機器。
【請求項５】
光を発光する第１発光部と、
光を受光する第３受光部と、
前記第１発光部及び前記第３受光部が搭載される第１筐体と、
光を発光する第３発光部と、
光を受光する第１受光部と、
前記第３発光部及び前記第１受光部が搭載されるとともに前記第１筐体に対して回転軸を中心に回転可能に連結される第２筐体と、
前記第１受光部における前記第１発光部から発光された光の受光の有無または前記第３受光部における前記第３発光部から発光された光の受光の有無を検出することにより、前記第１筐体に対する前記第２筐体の回転位置を検出するとともに前記第１筐体と前記第２筐体との間で信号の送受信を行う検出部と、を備え、
前記第１発光部は、前記第１筐体において、前記回転軸を中心とする第１の円周上に配置され、
前記第１受光部は、前記第２筐体において、前記回転軸を中心とするとともに前記第１の円周に対向する第２の円周上に配置され、
前記第３発光部は、前記第２筐体において、前記回転軸を中心とする第３の円周上に配置され、
前記第３受光部は、前記第１筐体において、前記回転軸を中心とするとともに前記第３の円周に対向する第４の円周上に配置されている携帯電子機器。
【発明の詳細な説明】
【技術分野】
【０００１】
本発明は、携帯電話機などの携帯電子機器に関する。
【背景技術】
【０００２】
従来、２つの筐体が連結されてなる携帯電話機などの携帯電子機器において、一方の筐体に受発光部を設け、他方の筐体に反射効率がそれぞれ異なる複数の反射部を設けるとともに、反射部で反射した光のレベルを検出することにより、２つの筐体間の相対的な回転位置を検出する技術が知られている（例えば、下記特許文献１参照）。
【０００３】
【特許文献１】特開２００７−２３５７２２号公報
【発明の開示】
【発明が解決しようとする課題】
【０００４】
しかしながら、特許文献１に記載の技術では、複数の反射部における反射効率の違いを利用して２つの筐体間の相対的な回転位置を検出している、そのため、反射部において設定された反射効率が維持されている間は所望の機能を発揮するものの、複数の反射部のうちの一部の反射部が錆びる等して劣化した結果、その反射部の反射効率が低下した場合には、複数の反射部から反射された光のレベルの区別ができなくなる虞がある。その場合には、２つの筐体間の相対的な回転位置を正確に検出することはできない。
このような問題点は、携帯電話機以外の携帯電子機器においても生じ得る。
【０００５】
従って、本発明は、複数の反射部における反射効率の違いを利用することなく、光学的に２つの筐体間の相対的な回転位置を検出することができる携帯電子機器を提供することを目的とする。
【課題を解決するための手段】
【０００６】
本発明は、光を発光する第１発光部と、前記第１発光部が搭載される第１筐体と、光を受光する第１受光部と、前記第１受光部が搭載されるとともに前記第１筐体に対して回転軸を中心に回転可能に連結される第２筐体と、前記第１受光部における前記第１発光部から発光された光の受光の有無を検出することにより、前記第１筐体に対する前記第２筐体の回転位置を検出する検出部と、を備え、前記第１発光部は、前記第１筐体において、前記回転軸を中心とする第１の円周上に配置され、前記第１受光部は、前記第２筐体において、前記回転軸を中心とするとともに前記第１の円周に対向する第２の円周上に配置されている携帯電子機器に関する。
【０００７】
また、前記第２筐体は、前記第１筐体に対する該第２筐体の回転角度が予め設定された設定角度の倍数となる複数の回転位置で、前記第１筐体に保持され、前記第１発光部は、前記第１の円周上における前記設定角度の倍数となる複数の位置のうちの一部または全部に配置され、前記第１受光部は、前記第２の円周上における前記設定角度の倍数となる複数の位置のうちの一部または全部に配置されているとともに、複数の回転位置のうちの任意の回転位置における第１発光部の配置パターンと複数の回転位置のうちの他の回転位置における第１発光部の配置パターンとが同じ配置パターンを取らないように、配置されていることが好ましい。
【０００８】
また、３６０度を前記設定角度で除して得られる整数を整数Ｎとし、前記第１の円周上における前記設定角度の倍数となる位置に配置される前記第１発光部の個数を第１の個数Ｌとし、前記第２の円周上における前記設定角度の倍数となる位置に配置される前記第１受光部の個数を第２の個数Ｒとした場合に、前記整数Ｎ、前記第１の個数Ｌ及び前記第２の個数Ｒは、以下の式１及び式２に示す関係を満たすことが好ましい。
式１；Ｌ≦Ｒ≦Ｎ
式２；Ｎ≦Ｌ＋Ｒ≦２Ｎ−１
【０００９】
また、前記整数Ｎ、前記第１の個数Ｌ及び前記第２の個数Ｒは、以下の式３に示す関係を更に満たすことが好ましい。
式３；Ｌ＋Ｒ≧Ｎ＋１
【００１０】
また、前記第１発光部から発光された光を前記第１受光部で受光することにより、前記第１筐体から前記第２筐体へ信号が伝達されることが好ましい。
【００１１】
また、前記第２筐体における前記回転軸と重なる位置に搭載される第２発光部と、前記第１筐体における前記回転軸と重なる位置に搭載されるとともに前記第２発光部に対向して配置される第２受光部と、を更に備え、前記第２発光部から発光された光を前記第２受光部で受光することにより、前記第２筐体から前記第１筐体へ信号が伝達されることが好ましい。
【００１２】
また、本発明は、光を発光する第１発光部と、光を受光する第３受光部と、前記第１発光部及び前記第３受光部が搭載される第１筐体と、光を発光する第３発光部と、光を受光する第１受光部と、前記第３発光部及び前記第１受光部が搭載されるとともに前記第１筐体に対して回転軸を中心に回転可能に連結される第２筐体と、前記第１受光部における前記第１発光部から発光された光の受光の有無または前記第３受光部における前記第３発光部から発光された光の受光の有無を検出することにより、前記第１筐体に対する前記第２筐体の回転位置を検出するとともに前記第１筐体と前記第２筐体との間で信号の送受信を行う検出部と、を備え、前記第１発光部は、前記第１筐体において、前記回転軸を中心とする第１の円周上に配置され、前記第１受光部は、前記第２筐体において、前記回転軸を中心とするとともに前記第１の円周に対向する第２の円周上に配置され、前記第３発光部は、前記第２筐体において、前記回転軸を中心とする第３の円周上に配置され、前記第３受光部は、前記第１筐体において、前記回転軸を中心とするとともに前記第３の円周に対向する第４の円周上に配置されている携帯電子機器に関する。
【発明の効果】
【００１３】
本発明によれば、複数の反射部における反射効率の違いを利用することなく、光学的に２つの筐体間の相対的な回転位置を検出することができる。
【発明を実施するための最良の形態】
【００１４】
以下、本発明を実施するための最良の形態の一例について、図面を参照しながら説明する。図１は、本発明の第１実施形態である携帯電話機１について、操作部側筐体２と表示部側筐体３とを開いた状態で示す正面図である。図２は、図１に示す携帯電話機１について、操作部側筐体２と表示部側筐体３とを閉じた状態で示す正面図である。
【００１５】
図１及び図２に示すように、第１実施形態の携帯電話機１は、第１筐体である操作部側筐体２と第２筐体である表示部側筐体３とを備える。本実施形態の携帯電話機１は、いわゆる回転式（リボルバ式）の携帯電話機１であり、操作部側筐体２と表示部側筐体３との重ね合せ方向に延びる回転軸４１を中心に一方の筐体を回転させることが可能である。つまり、操作部側筐体２の上端部と表示部側筐体３の下端部とは、回転軸４１を備える連結部４を介して、回転軸４１を中心に回転可能に連結される。
【００１６】
従って、本実施形態の携帯電話機１は、連結部４を介して連結された操作部側筐体２と表示部側筐体３とを相対的に動かすことが可能に構成される。詳述すると、携帯電話機１は、操作部側筐体２と表示部側筐体３とが開いた状態（開状態。図１参照）と、操作部側筐体２と表示部側筐体３とが閉じた状態（閉状態。図２参照）とに変更可能に構成されている。閉状態とは、操作部側筐体２の前面２ａと表示部側筐体３の背面３ｂ（図４参照）とが互いに重なり合う状態である。閉状態以外の状態を開状態という。
【００１７】
図１及び図２に示すように、操作部側筐体２の外面は、前面２ａ側を形成するフロントケース２１及び背面側を形成するリアケース（図示せず）により構成される。操作部側筐体２は、フロントケース２１側に、操作キー群１１と、携帯電話機１の使用者が通話時に発した音声が入力されるマイクとしての音声入力部１２とがそれぞれ露出するように構成される。
【００１８】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。
【００１９】
操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００２０】
音声入力部１２は、操作部側筐体２の長手方向における連結部４側と反対の外端部側に配置される。つまり、音声入力部１２は、携帯電話機１の開状態において一方の外端部側に配置される。
【００２１】
表示部側筐体３の外面は、前面３ａ側を形成するフロントケース３０及び背面３ｂ（図４参照）側を形成するリアケース３２により構成される。表示部側筐体３は、フロントケース３０側に、各種情報を表示するためのメイン表示部３４ａと、通話の相手側の音声を出力するレシーバとしての音声出力部３１とが露出するように配置されて構成される。
【００２２】
次に、操作部側筐体２及び表示部側筐体３における各発光部及び各受光部について、図３及び図４を用いて説明する。
図３は、操作部側筐体２における第１発光部５１及び第２受光部６２の配置位置及び表示部側筐体３における第１受光部６１及び第２発光部５２の配置位置を模式的に示す図である。図４は、仮想的に、第１の円周Ｃ１をその延在方向Ｄ１に沿って直線状に展開すると共に、第２の円周Ｃ２をその延在方向Ｄ２に沿って直線状に展開して示す図である。
【００２３】
図３及び図４に示すように、操作部側筐体２には、第１発光部５１及び第２受光部６２が搭載されている。
第１発光部５１は、光Ｒを発光する部位であり、例えば、電圧を加えると発光する半導体素子からなる。第１発光部５１は、操作部側筐体２において、回転軸４１を中心とする第１の円周Ｃ１上に配置されている。
第２受光部６２は、光を受光する部位であり、例えば、光センサーからなる。第２受光部６２は、操作部側筐体２において、回転軸４１と重なる位置に配置されている。
【００２４】
表示部側筐体３には、第１受光部６１及び第２発光部５２が搭載されている。
第１受光部６１は、光を受光する部位であり、例えば、光センサーからなる。第１受光部６１は、表示部側筐体３において、第２の円周Ｃ２上に配置されている。第２の円周Ｃ２は、回転軸４１を中心とするとともに第１の円周Ｃ１に対向している。
第２発光部５２は、光Ｒを発光する部位であり、例えば、電圧を加えると発光する半導体素子からなる。第２発光部５２は、表示部側筐体３において、回転軸４１と重なる位置に且つ第２受光部６２に対向して配置されている。
【００２５】
詳細については後述するが、本実施形態においては、回転位置検出部（検出部）７１（図６参照）を備えている。回転位置検出部７１は、第１受光部６１における第１発光部５１から発光された光Ｒの受光の有無を検出することにより、操作部側筐体２に対する表示部側筐体３の回転位置を検出する。
【００２６】
表示部側筐体３は、操作部側筐体２に対する表示部側筐体３の回転角度θが予め設定された設定角度φの倍数となる複数の回転位置で、表示部側筐体３に保持されるように構成される。
設定角度φは、３６０度を整数で除した角度とすることが好ましい。設定角度φは、例えば、１８０度（＝３６０度／２）、１２０度（＝３６０度／３）、９０度（＝３６０度／４）、７２度（＝３６０度／５）、６０度（＝３６０度／６）、４５度（＝３６０度／８）、３０度（＝３６０度／１２）である。
本実施形態においては、設定角度φは９０度である。従って、操作部側筐体２に対する表示部側筐体３の回転位置は４個ある（図５から図８参照）。
【００２７】
回転角度θは、表示部側筐体３から操作部側筐体２を視た場合に、操作部側筐体２を基準として反時計回りの回転角度で示す。例えば、操作部側筐体２に対して表示部側筐体３が反時計回りに９０度回転している場合（図６参照）には、回転角度θは９０度であり、操作部側筐体２に対して表示部側筐体３が時計回りに９０度回転している場合（図８参照）には、回転角度θは２７０度である。
【００２８】
第１発光部５１は、第１の円周Ｃ１上における設定角度φの倍数となる複数の位置のうちの一部または全部に配置される。第１の円周Ｃ１は、第１発光部５１が位置する仮想的な円周である。第１の円周Ｃ１においては、回転軸４１から操作部側筐体２の上端部側（図３における上側）の位置を「第２の位置Ｓ１２」という。回転軸４１から操作部側筐体２の下端部側（図３における下側）の位置を「第４の位置Ｓ１４」という。また、第２の位置Ｓ１２から時計回りに９０度ずれた位置を「第１の位置Ｓ１１」という。第２の位置Ｓ１２から反時計回りに９０度ずれた位置を「第３の位置Ｓ１３」という。
【００２９】
なお、各第１発光部について共通する説明を行う場合には、「第１発光部５１」の表現を用い、各第１発光部について個別に説明を行う場合には、「第１発光部５１ｂ」、「第１発光部５１ｃ」などの表現を用いる。
【００３０】
本実施形態においては、第２の位置Ｓ１２に第１発光部５１ｂが配置され、第３の位置Ｓ１３に第１発光部５１ｃが配置される。複数の第１発光部５１は隣接して配置される。
一方、第１の位置Ｓ１１及び第４の位置Ｓ１４には、第１発光部５１は配置されていない。なお、図３においては、第１の位置Ｓ１１及び第４の位置Ｓ１４を２点鎖線で示す。
【００３１】
第１受光部６１は、第２の円周Ｃ２上における設定角度φの倍数となる複数の位置のうちの一部または全部に配置されている。第２の円周Ｃ２は、第１受光部６１が位置する仮想的な円周である。第２の円周Ｃ２においては、回転軸４１から表示部側筐体３の上端部側（図３における上側）の位置を「第２の位置Ｓ２２」という。回転軸４１から表示部側筐体３の下端部側（図３における下側）の位置を「第４の位置Ｓ２４」という。また、第２の位置Ｓ２２から時計回りに９０度ずれた位置を「第１の位置Ｓ２１」という。第２の位置Ｓ２２から反時計回りに９０度ずれた位置を「第３の位置Ｓ２３」という。
【００３２】
なお、各第１受光部について共通する説明を行う場合には、「第１受光部６１」の表現を用い、各第１受光部について個別に説明を行う場合には、「第１受光部６１ａ」、「第１受光部６１ｂ」、「第１受光部６１ｃ」などの表現を用いる。
【００３３】
本実施形態においては、第１の位置Ｓ２１に第１受光部６１ａが配置され、第２の位置Ｓ２２に第１受光部６１ｂが配置され、第３の位置Ｓ２３に第１受光部６１ｃが配置される。複数の第１受光部６１は隣接して配置される。
一方、第４の位置Ｓ２４には、第１受光部６１は配置されていない。なお、図３においては、第４の位置Ｓ２４を２点鎖線で示す。
【００３４】
操作部側筐体２のフロントケース２１には、第１の円周Ｃ１における第１の位置Ｓ１１、第２の位置Ｓ１２、第３の位置Ｓ１３及び第４の位置Ｓ１４に対応する位置に、４個の第１透孔２２が設けられている。そのため、第１発光部５１は、第１透孔２２を介して操作部側筐体２の前面２ａ側に露出する。
【００３５】
表示部側筐体３のリアケース３２には、第２の円周Ｃ２における第１の位置Ｓ２１、第２の位置Ｓ２２、第３の位置Ｓ２３及び第４の位置Ｓ２４に対応する位置に、４個の第２透孔３３が設けられている。そのため、第１受光部６１は、第２透孔３３を介して表示部側筐体３の背面３ｂ側に露出する。
【００３６】
本実施形態の携帯電話機１においては、第１発光部５１から発光された光Ｒを第１受光部６１で受光することにより、操作部側筐体２から表示部側筐体３へ信号が伝達される。
また、第２発光部５２から発光された光Ｒを第２受光部６２で受光することにより、表示部側筐体３から操作部側筐体２へ信号が伝達される。
【００３７】
図５から図８に示すように、表示部側筐体３は、操作部側筐体２に対して回転軸４１を中心に回転させた場合に、操作部側筐体２に対する表示部側筐体３の回転角度θが設定角度φの倍数となる位置で操作部側筐体２に保持されるように構成されている。
【００３８】
図５は、閉状態（第１の回転位置）の携帯電話機１を模式的に示す図（図２対応図である）である。図６は、回転軸４１を中心に表示部側筐体３を操作部側筐体２に対して反時計回りに９０度回転させた状態（第２の回転位置）を示す図である。図７は、回転軸４１を中心に表示部側筐体３を操作部側筐体２に対して１８０度回転させた状態（第３の回転位置）を示す図である。図８は、回転軸４１を中心に表示部側筐体３を操作部側筐体２に対して反時計回りに２７０度回転させた状態（第４の回転位置）を示す図である。
【００３９】
本実施形態においては、図５から図８に示すように、表示部側筐体３は、操作部側筐体２に対する表示部側筐体３の回転角度θが９０度の倍数（０度、９０度、１８０度、２７０度）となる回転位置で操作部側筐体２に保持されるように構成されている。表示部側筐体３を操作部側筐体２に保持する構成は、特に制限されず、各種の保持手段を利用することができる。
【００４０】
そして、第１、第２、第３及び第４の（複数の）回転位置のうちの任意の回転位置における第１発光部５１の配置パターンと、複数の回転位置のうちの他の回転位置における第１発光部５１の配置パターンとが同じ配置パターンを取らないように、第１発光部５１は配置されている。ここで、第１発光部５１の配置パターンは、それぞれの回転位置になったときに、第１発光部５１が、第２の円周Ｃ２上における設定角度φの倍数となる複数の位置（Ｓ２１，Ｓ２２，Ｓ２３，Ｓ２４）のうちのいずれの位置に対向しているかによって表現する。
【００４１】
例えば、図３と、図５乃至図８とを照らし合わせると、第１の回転位置においては、２つの第１発光部５１ｂ、５１ｃがそれぞれ対向している第２の円周Ｃ２上の位置は、位置Ｓ２２及びＳ２３なので、その配置パターンを、パターン（Ｓ２２，Ｓ２３）と表現する。同様に、第２の回転位置においては、第１発光部５１の配置パターンは、パターン（Ｓ２１，Ｓ２２）である。同様に、第３の回転位置においては、第１発光部５１の配置パターンは、パターン（Ｓ２４，Ｓ２１）である。同様に、第４の回転位置においては、第１発光部５１の配置パターンは、パターン（Ｓ２３，Ｓ２４）である。このように、それぞれの回転位置同士では、第１発光部５１の配置パターンは全て異なっている。
【００４２】
逆に、異なる回転位置における第１発光部５１の配置パターンが同じ配置パターンを取る例としては、例えば、第１の回転位置及び第３の回転位置において、２つの第１発光部５１がそれぞれ対向している第２の円周Ｃ２上の位置となる場合、即ち、第１発光部５１の配置パターンが、パターン（Ｓ２２，Ｓ２４）及びパターン（Ｓ２４，Ｓ２２）となり、第２の回転位置及び第４の回転位置において、第１発光部５１の配置パターンが、パターン（Ｓ２１，Ｓ２３）及びパターン（Ｓ２３，Ｓ２１）となる場合である。
【００４３】
尚、パターン（Ｓ２２，Ｓ２４）とパターン（Ｓ２４，Ｓ２２）とは同じ配置パターンであり、同様に、パターン（Ｓ２１，Ｓ２３）とパターン（Ｓ２３，Ｓ２１）とは同じ配置パターンである。これは、複数の第１発光部５１ｂ、５１ｃ同士は、互いに第１受光部６１側でいずれの第１発光部５１からの光かの区別が付かない、実質的に同じ種類の第１発光部５１であることを前提としているためである。
【００４４】
本発明においては、３６０度を設定角度φで除して得られる整数を整数Ｎとし、第１の円周Ｃ１上における設定角度φの倍数となる位置に配置される第１発光部５１の個数を第１の個数Ｌとし、第２の円周Ｃ２上における設定角度φの倍数となる位置に配置される第１受光部６１の個数を第２の個数Ｒとした場合に、整数Ｎ、第１の個数Ｌ及び第２の個数Ｒは、以下の式１及び式２に示す関係を満たすことが好ましい。
式１；Ｌ≦Ｒ≦Ｎ
式２；Ｎ≦Ｌ＋Ｒ≦２Ｎ−１
【００４５】
本実施形態においては、設定角度φが９０度であるため、整数Ｎは３６０度／９０度＝４である。第１の円周Ｃ１上における第１発光部５１の（第１の）個数Ｌは、２個である。第２の円周Ｃ２における第１受光部６１の（第２の）個数Ｒは、３個である。整数Ｎ（＝４）、第１の個数Ｌ（＝２）及び第２の個数Ｒ（＝３）を前記式１及び式２に代入すると、以下のように、式１及び式２に示す関係を満たしていることがわかる。
式１；２≦３≦４
式２；４≦２＋３≦２×４−１
【００４６】
また、本発明においては、整数Ｎ、第１の個数Ｌ及び第２の個数Ｒは、以下の式３に示す関係を更に満たすことが好ましい。
式３；Ｌ＋Ｒ≧Ｎ＋１
【００４７】
本実施形態においては、整数Ｎ（＝４）、第１の個数Ｌ（＝２）及び第２の個数Ｒ（＝３）を前記式３に代入すると、以下のように、式３に示す関係を更に満たしていることがわかる。
式３；２＋３≧４＋１
【００４８】
次に、操作部側筐体２に対して表示部側筐体３を回転させた場合における第１発光部５１と第１受光部６１との位置関係について、図５から図８を参照しながら説明する。
【００４９】
図５に示すように、閉状態（第１の回転位置）においては、操作部側筐体２における第１の位置Ｓ１１、第２の位置Ｓ１２、第３の位置Ｓ１３及び第４の位置Ｓ１４は、それぞれ、表示部側筐体３における第１の位置Ｓ２１、第２の位置Ｓ２２、第３の位置Ｓ２３及び第４の位置Ｓ２４に対してそれぞれ互いに対向する。
【００５０】
また、操作部側筐体２における第２の位置Ｓ１２に位置する第１発光部５１ｂは、表示部側筐体３における第２の位置Ｓ２２に位置する第１受光部６１ｂに対向する。操作部側筐体２における第３の位置Ｓ１３に位置する第１発光部５１ｃは、表示部側筐体３における第３の位置Ｓ２３に位置する第１受光部６１ｃに対向する。
一方、操作部側筐体２における第１の位置Ｓ１１には、第１発光部５１は存在しないため、表示部側筐体３における第１の位置Ｓ２１に位置する第１受光部６１ａは、第１発光部５１に対向しない。
【００５１】
本実施形態の携帯電話機１においては、図３から図５に示す閉状態（第１の回転位置）において、第２の位置Ｓ１２に位置する第１発光部５１ｂから発光された光Ｒは、第２の位置Ｓ２２に位置する第１受光部６１ｂに受光される。また、第３の位置Ｓ１３に位置する第１発光部５１ｃから発光された光Ｒは、第３の位置Ｓ２３に位置する第１受光部６１ｃに受光される。
また、表示部側筐体３における回転軸４１と重なる位置に位置する第２発光部５２から発光された光Ｒは、操作部側筐体２における回転軸４１と重なる位置に位置する第２受光部６２に受光される。
【００５２】
このように、本実施形態においては、図３から図５に示す閉状態（第１の回転位置）において、対向する２組の第１発光部５１と第１受光部６１との間で、第１発光部５１から発光された光Ｒは第１受光部６１に受光されて、光Ｒの伝搬経路が２個形成される。
また、対向する第２発光部５２と第２受光部６２との間で、第２発光部５２から発光された光Ｒは第２受光部６２に受光されて、光Ｒの伝搬経路が１個形成される。
【００５３】
次に、回転軸４１を中心に表示部側筐体３を操作部側筐体２に対して９０度ごとに回転させた場合における、操作部側筐体２における２個の第１発光部５１（５１ｂ，５１ｃ）と表示部側筐体３における３個の第１受光部６１（６１ａ，６１ｂ，６１ｃ）との位置関係について、図６から図８を参照しながら説明する。
【００５４】
図６に示すように、回転軸４１を中心に表示部側筐体３を操作部側筐体２に対して反時計周りに９０度回転させた状態（第２の回転位置）においては、第１発光部５１ｂと第１受光部６１ａとが一致する（重なる）とともに、第１発光部５１ｃと第１受光部６１ｂとが一致する（重なる）。
また、第２発光部５２と第２受光部６２とは、操作部側筐体２に対する表示部側筐体３の回転角度θに拘わらず、一致する（重なる）。
【００５５】
従って、図６に示す第２の回転位置においては、対向する２組の第１発光部５１（５１ｂ，５１ｃ）と第１受光部６１（６１ａ，６１ｂ）との間で、第１発光部５１から発光された光Ｒは第１受光部６１に受光されて、光Ｒの伝搬経路が２個形成される。また、対向する第２発光部５２と第２受光部６２との間で、第２発光部５２から発光された光Ｒは第２受光部６２に受光されて、光Ｒの伝搬経路が１個形成される。
【００５６】
図７に示すように、回転軸４１を中心に表示部側筐体３を操作部側筐体２に対して１８０度回転させた状態（第３の回転位置）においては、第１発光部５１ｃと第１受光部６１ａとが一致する（重なる）。
また、前述の通り、第２発光部５２と第２受光部６２とは、操作部側筐体２に対する表示部側筐体３の回転角度θに拘わらず、一致する（重なる）。
一方、第１発光部５１ｂは、第１受光部６１と一致しない（重ならない）。
【００５７】
従って、図７に示す第３の回転位置においては、対向する１組の第１発光部５１（５１ｃ）と第１受光部６１（６１ａ）との間で、第１発光部５１から発光された光Ｒは第１受光部６１に受光されて、光Ｒの伝搬経路が１個形成される。また、対向する第２発光部５２と第２受光部６２との間で、第２発光部５２から発光された光Ｒは第２受光部６２に受光されて、光Ｒの伝搬経路が１個形成される。
【００５８】
図８に示すように、回転軸４１を中心に表示部側筐体３を操作部側筐体２に対して反時計周りに２７０度回転させた状態（第４の回転位置）においては、第１発光部５１ｂと第１受光部６１ｃとが一致する（重なる）。
また、前述の通り、第２発光部５２と第２受光部６２とは、操作部側筐体２に対する表示部側筐体３の回転角度θに拘わらず、一致する（重なる）。
一方、第１発光部５１ｃは、第１受光部６１と一致しない（重ならない）。
【００５９】
従って、図８に示す第４の回転位置においては、対向する１組の第１発光部５１（５１ｂ）と第１受光部６１（６１ｃ）との間で、第１発光部５１から発光された光Ｒは第１受光部６１に受光されて、光Ｒの伝搬経路が１個形成される。また、対向する第２発光部５２と第２受光部６２との間で、第２発光部５２から発光された光Ｒは第２受光部６２に受光されて、光Ｒの伝搬経路が１個形成される。
【００６０】
なお、図５から図８にそれぞれ示す第１から第４の回転位置に表示部側筐体３が配置されたときに、第１発光部５１から発光された光Ｒは第１受光部６１に受光される。つまり、光Ｒの伝搬による信号の伝達が行われる。従って、一の信号伝達位置から他の信号伝達位置へ移動する途中では、信号の伝達が中断される。この場合、光信号の送受信が中断される前に、表示部側筐体３の位置の変更が行われていることを検出するために、検出精度の良いエンコーダーを用いたり、複数のセンサーの出力差分を比較することにより、表示部側筐体３の回転位置を検出することが好ましい。また、信号の伝達が中断された場合には、受信側から送信側に対して中断された信号を再送するように要求してもよい。
【００６１】
次いで、第１実施形態の携帯電話機１における機能的な構成について、図９及び図１０を参照しながら説明する。
図９は、第１実施形態の携帯電話機の機能を示す機能ブロック図である。図１０は、処理部７０における機能ブロック図である。
【００６２】
第１実施形態の携帯電話機は、図９に示すように、所定の情報を表示するメイン表示部３４ａと、所定の情報を表示するサブ表示部３６ａ（図１及び図２において図示せず）と、外部の端末と通信を行う通信部８０と、所定の処理を行う処理部７０と、所定容量を有する充電池９１と、充電池９１から供給される電源電圧を所定の電圧に変換し、変換後の電圧を通信部８０や処理部７０等に供給する電源回路部９０と、記憶部１００と、を備える。
【００６３】
通信部８０は、所定の使用周波数帯により外部装置と通信を行うメインアンテナ８１と、変調処理、復調処理等の信号処理を行う通信処理部８２と、を備える。
【００６４】
メインアンテナ８１は、所定の使用周波数帯（例えば、８００ＭＨｚ）で外部装置（基地局）と通信を行う。
【００６５】
通信処理部８２は、メインアンテナ８１によって受信した信号を復調処理し、処理後の信号を処理部７０に供給する。また、通信処理部８２は、処理部７０から供給された信号を変調処理し、メインアンテナ８１を介して外部装置（基地局）に送信する。
【００６６】
電源回路部９０は、充電池９１から供給される電源電圧を所定の電圧値に変圧し、変圧後の電源電圧を通信部８０や処理部７０等に供給する。
【００６７】
記憶部１００は、処理部７０にて実行される多数のプログラム及びパラメータや各種テーブル等が記憶される。具体的には、記憶部１００には、例えば、制御部７２（後述）によって制御される多数のアプリケーションプログラムなどの他、テーブル１１０が記憶されている。テーブル１１０には、例えば、第１受光部６１における受光の有無のパターンと、操作部側筐体２に対する表示部側筐体３の回転位置との対応関係が示されている。また、テーブル１１０には、回転位置検出部７１（後述）によって検出される各回転位置と、各回転位置に対応する所定の動作との対応関係が示されている。
【００６８】
処理部７０は、所定の処理を行う。処理部７０は、図１０に示すように、操作部側筐体２に対する表示部側筐体３の回転位置を検出する回転位置検出部７１と、回転位置検出部７１により検出された回転位置に対応する所定の動作を機能させる所定のアプリケーションを起動し、当該起動した所定のアプリケーションを制御する制御部７２と、を備える。
【００６９】
次に、第１実施形態の携帯電話機１における、回転位置検出部７１による操作部側筐体２に対する表示部側筐体３の回転位置の検出動作について説明する。
回転位置検出部７１は、操作部側筐体２に対する表示部側筐体３の回転位置を以下のように検出する。
【００７０】
例えば、図５に示すように、３個の第１受光部６１のうち第１受光部６１ｂ，６１ｃにおいて第１発光部５１からの光の受光を確認することができた場合には、回転位置検出部７１は、記憶部１００のテーブル１１０を参照して、操作部側筐体２に対する表示部側筐体３の回転位置が「第１の位置」であると検出する。
【００７１】
また、図６に示すように、３個の第１受光部６１のうち第１受光部６１ａ，６１ｂにおいて第１発光部５１からの光の受光を確認することができた場合には、回転位置検出部７１は、記憶部１００のテーブル１１０を参照して、操作部側筐体２に対する表示部側筐体３の回転位置が「第２の位置」であると検出する。
【００７２】
また、図７に示すように、３個の第１受光部６１のうち第１受光部６１ａのみにおいて第１発光部５１からの光の受光を確認することができた場合には、回転位置検出部７１は、記憶部１００のテーブル１１０を参照して、操作部側筐体２に対する表示部側筐体３の回転位置が「第３の位置」であると検出する。
【００７３】
また、図８に示すように、３個の第１受光部６１のうち第１受光部６１ｃのみにおいて第１発光部５１からの光の受光を確認することができた場合には、回転位置検出部７１は、記憶部１００のテーブル１１０を参照して、操作部側筐体２に対する表示部側筐体３の回転位置が「第４の位置」であると検出する。
【００７４】
そして、制御部７２は、記憶部１００のテーブル１１０を参照して、操作部側筐体２に対する表示部側筐体３の回転位置が「第１の回転位置」、「第２の回転位置」、「第３の回転位置」又は「第４の回転位置」のいずれであるに応じて、所定の動作を機能させる所定のアプリケーションを起動し、当該起動した所定のアプリケーションを制御する機能を動作させる。
【００７５】
以上の構成を有する第１実施形態の携帯電話機１によれば、以下に示す効果が奏される。
第１実施形態においては、第１受光部６１における第１発光部５１から発光された光Ｒの受光の有無を検出することにより、操作部側筐体２に対する表示部側筐体３の回転位置を検出する回転位置検出部７１と、を備え、第１発光部５１は、操作部側筐体２において、第１の円周Ｃ１上に配置され、第１受光部６１は、表示部側筐体３において、第２の円周Ｃ２上に配置されている。
【００７６】
そのため、複数の反射部における反射効率の違いを利用することなく、光学的に２つの筐体２，３間の相対的な回転位置を検出することができる。従って、反射部における反射効率の劣化などの影響を受けることがない。また、第１発光部５１及び第１受光部６１をそれぞれ第１の円周Ｃ１上及び第２の円周Ｃ２上に配置しているため、複数の所望の回転位置の検出を容易に行うことができる。
【００７７】
また、表示部側筐体３は、操作部側筐体２に対する表示部側筐体３の回転角度θが予め設定された設定角度φの倍数となる複数の位置で、操作部側筐体２に保持され、第１発光部５１は、第１の円周Ｃ１上における設定角度φの倍数となる複数の位置（第１の位置Ｓ１１、第２の位置Ｓ１２、第３の位置Ｓ１３及び第４の位置Ｓ１４）のうちの一部または全部に配置され、第１受光部６１は、第２の円周Ｃ２上における設定角度φの倍数となる複数の位置（第１の位置Ｓ２１、第２の位置Ｓ２２、第３の位置Ｓ２３及び第４の位置Ｓ２４）のうちの一部または全部に配置されている。そのため、第２の円周Ｃ２上における前記複数の位置に、第１受光部６１が存在しない位置があったとしても、他の位置に第１受光部６１が設けられていれば、回転位置を検出することができる。
【００７８】
また、前記整数Ｎ、前記第１の個数Ｌ及び前記第２の個数Ｒは、以下の式１及び式２に示す関係を満たしている。
式１；Ｌ≦Ｒ≦Ｎ
式２；Ｎ≦Ｌ＋Ｒ≦２Ｎ−１
そのため、複数の第１発光部５１のうちのいずれの第１発光部５１から受光された光であるかを第１受光部６１が判別する必要がなく、受光の有無を判別するだけで、操作部側筐体２に対する表示部側筐体３の回転位置を検出することが可能である。
【００７９】
また、前記整数Ｎ、前記第１の個数Ｌ及び前記第２の個数Ｒは、以下の式３に示す関係を更に満たしている。
式３；Ｌ＋Ｒ≧Ｎ＋１
そのため、複数の第１受光部６１のうちの少なくとも１個が第１発光部５１から発光された光を受光する状態を必ず得ることができる。これにより、例えば、第１受光部６１に受光される光を、回転位置の検出の目的の他に、操作部側筐体２から表示部側筐体３への信号として利用することができる。
【００８０】
また、第１発光部５１から発光された光を第１受光部６１で受光することにより、操作部側筐体２から表示部側筐体３へ信号が伝達される。このように、回転位置の検出用の光を、信号伝達用に利用することで、光を伝達する構成を別途設ける場合に比べて、携帯電話機１全体の小型化を達成できる。
【００８１】
また、第２発光部５２と第２受光部６２とを更に備え、第２発光部５２から発光された光を第２受光部６２で受光することにより、表示部側筐体３から操作部側筐体２へ信号が伝達される。そのため、操作部側筐体２と表示部側筐体３との間で、光による双方向の信号のやり取りが可能となる。
【００８２】
次に、本発明の第２実施形態について、図１１を参照しながら説明する。図１１は、本発明の第２実施形態の携帯電話機における光の送受信に係る構成を模式的に示す図（図３相当図）である。
【００８３】
第２実施形態は、第１実施形態に比して、操作部側筐体２及び表示部側筐体３のいずれにも回転軸４１を中心とする円周上に発光部及び受光部が設けられている点が主として異なる。具体的には、第２実施形態は、第１実施形態に比して、表示部側筐体３における第３の円周Ｃ３上に第３発光部５３が更に設けられ、操作部側筐体２における第４の円周Ｃ４上に第３受光部６３が更に設けられている点が異なる。
【００８４】
第２実施形態については、主として、第１実施形態とは異なる点を説明し、第１実施形態様と同様の構成について同じ符号を付し、又は符号に「’」を付し、説明を省略する。第２実施形態について特に説明しない点については、第１実施形態についての説明が適宜適用される。
【００８５】
詳細には、図１１に示すように、第２実施形態は、操作部側筐体２’と、表示部側筐体３’と、回転位置検出部７１’を含む処理部７０’（図示せず）とを備える。
操作部側筐体２’には、光を発光する第１発光部５１（５１ｂ，５１ｃ）と、光を受光する第２受光部６２と、光を受光する第３受光部６３（６３ａ，６３ｂ，６３ｃ）とが搭載されている。
表示部側筐体３’には、光を発光する第３発光部５３（５３ｂ，５３ｃ）と、光を発光する第２発光部５２と、光を受光する第１受光部６１（６１ａ，６１ｂ，６１ｃ）とが搭載されている。
【００８６】
第１発光部５１は、操作部側筐体２において、回転軸４１を中心とする第１の円周Ｃ１上に配置されている。
第２受光部６２は、操作部側筐体２において、回転軸４１と重なる位置に配置されている。
第１受光部６１は、表示部側筐体３において、回転軸４１を中心とするとともに第１の円周Ｃ１に対向する第２の円周Ｃ２上に配置されている。
【００８７】
第３発光部５３は、表示部側筐体３において、回転軸４１を中心とする第３の円周Ｃ３上に配置されている。
第２発光部５２は、表示部側筐体３において、回転軸４１と重なる位置に且つ第２受光部６２に対向して配置されている。
第３受光部６３は、操作部側筐体２において、回転軸４１を中心とするとともに第３の円周Ｃ３に対向する第４の円周Ｃ４上に配置されている。
【００８８】
回転位置検出部７１’は、第１受光部６１における第１発光部５１から発光された光の受光の有無または第３受光部６３における第３発光部５３から発光された光の受光の有無を検出することにより、操作部側筐体２に対する表示部側筐体３の回転位置を検出するとともに操作部側筐体２と表示部側筐体３との間で信号の送受信を行う。
回転位置検出部７１’を含む処理部７０’は、第１実施形態における処理部７０と同様の構成を有し、同様の動作を行う。
【００８９】
第２実施形態における第３発光部５３及び第３受光部６３について説明する。
第３発光部５３は、第３の円周Ｃ３上における設定角度φの倍数となる複数の位置のうちの一部または全部に配置される。第３の円周Ｃ３は、第３発光部５３が位置する仮想的な円周である。第３の円周Ｃ３においては、回転軸４１から表示部側筐体３の上端部側（図１１における上側）の位置を「第２の位置Ｓ３２」という。回転軸４１から表示部側筐体３の下端部側（図１１における下側）の位置を「第４の位置Ｓ３４」という。また、第２の位置Ｓ３２から時計回りに９０度ずれた位置を「第１の位置Ｓ３１」という。第２の位置Ｓ３２から反時計回りに９０度ずれた位置を「第３の位置Ｓ３３」という。
【００９０】
各第３発光部について共通する説明を行う場合には、「第３発光部５３」の表現を用い、各第３発光部について個別に説明を行う場合には、「第３発光部５３ｂ」、「第３発光部５３ｃ」などの表現を用いる。
【００９１】
第２実施形態においては、第２の位置Ｓ３２に第３発光部５３ｂが配置され、第３の位置Ｓ３３に第３発光部５３ｃが配置される。複数の第３発光部５３は隣接して配置される。
一方、第１の位置Ｓ３１及び第４の位置Ｓ３４には、第３発光部５３は配置されていない。なお、図１１においては、第１の位置Ｓ３１及び第４の位置Ｓ３４を２点鎖線で示す。
【００９２】
第３受光部６３は、第４の円周Ｃ４上における設定角度φの倍数となる複数の位置のうちの一部または全部に配置されている。第４の円周Ｃ４は、第３受光部６３が位置する仮想的な円周である。第４の円周Ｃ４においては、回転軸４１から操作部側筐体２の上端部側（図１１における上側）の位置を「第２の位置Ｓ４２」という。回転軸４１から操作部側筐体２の下端部側（図１１における下側）の位置を「第４の位置Ｓ４４」という。また、第２の位置Ｓ４２から時計回りに９０度ずれた位置を「第１の位置Ｓ４１」という。第２の位置Ｓ４２から反時計回りに９０度ずれた位置を「第３の位置Ｓ４３」という。
【００９３】
各第３受光部について共通する説明を行う場合には、「第３受光部６３」の表現を用い、各第３受光部について個別に説明を行う場合には、「第３受光部６３ａ」、「第３受光部６３ｂ」、「第３受光部６３ｃ」などの表現を用いる。
【００９４】
第２実施形態においては、第１の位置Ｓ４１に第３受光部６３ａが配置され、第２の位置Ｓ４２に第３受光部６３ｂが配置され、第３の位置Ｓ４３に第３受光部６３ｃが配置される。複数の第３受光部６３は隣接して配置される。
一方、第４の位置Ｓ４４には、第３受光部６３は配置されていない。なお、図１１においては、第４の位置Ｓ４４を２点鎖線で示す。
【００９５】
第２実施形態の携帯電話機１においては、第１発光部５１から発光された光Ｒを第１受光部６１で受光することにより、操作部側筐体２から表示部側筐体３へ信号が伝達される。同様に、第３発光部５３から発光された光Ｒを第３受光部６３で受光することにより表示部側筐体３から操作部側筐体２へ信号が伝達される。
また、第２発光部５２から発光された光Ｒを第２受光部６２で受光することにより、表示部側筐体３から操作部側筐体２へ信号が伝達される。
【００９６】
第２実施形態の携帯電話機によれば、第１実施形態と同様の効果が奏される他、操作部側筐体２と表示部側筐体３との間で、光による双方向の信号のやり取りが一層容易となる。
【００９７】
以上、本発明の実施形態について説明したが、本発明は上述した実施形態に制限されるものではない。
例えば、第１実施形態においては、操作部側筐体２が第１筐体で（つまり、操作部側筐体２に第１発光部５１が設けられ）、表示部側筐体３が第２筐体である（つまり、表示部側筐体３に第１受光部６１が設けられている）が、これに制限されず、操作部側筐体２が第２筐体で（つまり、操作部側筐体２に第１受光部６１が設けられ）、表示部側筐体３が第１筐体であっても（つまり、表示部側筐体３に第１発光部５１が設けられていても）よい。
【００９８】
また、第１発光部５１又は第１受光部６１に代えて、発光機能及び受光機能の両方を有する受発光素子を用いることができる。その場合には、操作部側筐体２における受発光素子から発光された光を表示部側筐体３における受発光素子に受光させると共に、表示部側筐体３における受発光素子から発光された光を操作部側筐体２における受発光素子に受光させることができる。なお、受発光素子を用いる場合に、受発光の干渉がない状態を確保するためには、発光に対する減算処理により干渉を排除する処理が採用できる。
【００９９】
前記設定角度φは、第１及び第２実施形態においては９０度であるが、これに制限されない。例えば、１８０度、１２０度、７２度、６０度、４５度、３０度でもよい。
以下に、設定角度φが１８０度、１２０度、７２度及び６０度である場合における、前記式１及び式２の関係を満たす整数Ｎ、第１の個数Ｌ及び第２の個数Ｒの組み合わせの具体例について示す。
【０１００】
設定角度φが１８０度である場合における前記式１及び式２の関係を満たす整数Ｎ、第１の個数Ｌ及び第２の個数Ｒの組み合わせは、次の通りである。
（Ｎ、Ｌ、Ｒ）＝
（２，１，１）、（２，１，２）
【０１０１】
設定角度φが１２０度である場合における前記式１及び式２の関係を満たす整数Ｎ、第１の個数Ｌ及び第２の個数Ｒの組み合わせは、次の通りである。
（Ｎ、Ｌ、Ｒ）＝
（３，１，２）、（３，１，３）、（３，２，２）、（３，２，３）
【０１０２】
設定角度φが９０度である場合における前記式１及び式２の関係を満たす整数Ｎ、第１の個数Ｌ及び第２の個数Ｒの組み合わせは、次の通りである。
（Ｎ、Ｌ、Ｒ）＝
（４，１，３）、（４，１，４）、
（４，２，２）、（４，２，３）、（４，２，４）、
（４，３，３）、（４，３，４）
【０１０３】
設定角度φが７２度である場合における前記式１及び式２の関係を満たす整数Ｎ、第１の個数Ｌ及び第２の個数Ｒの組み合わせは、次の通りである。
（Ｎ、Ｌ、Ｒ）＝
（５，１，４）、（５，１，５）、
（５，２，３）、（５，２，４）、（５，２，５）、
（５，３，３）、（５，３，４）、（５，３，５）、
（５，４，４）、（５，４，５）
【０１０４】
設定角度φが６０度である場合における前記式１及び式２の関係を満たす整数Ｎ、第１の個数Ｌ及び第２の個数Ｒの組み合わせは、次の通りである。
（Ｎ、Ｌ、Ｒ）＝
（６，１，５）、（６，１，６）、
（６，２，４）、（６，２，５）、（６，２，６）、
（６，３，３）、（６，３，４）、（６，３，５）、（６，３，６）、
（６，４，４）、（６，４，５）、（６，４，６）、
（６，５，５）、（６，５，６）
【０１０５】
設定角度φが９０度である場合における第１発光部５１、第１受光部６１、第３発光部５３及び第３受光部６３の配置例（例１から例５）について、下記〔表１〕に示す。なお、〔表１〕において、「○」は、第１発光部５１などが配置されていることを示し、「×」又は「−」は、第１発光部５１などが配置されていないことを示す。例えば、例１は、第１発光部５１が、位置Ｓ１２のみに配置され、位置Ｓ１１，Ｓ１３，Ｓ１４には配置されておらず、第１受光部６１が、位置Ｓ２１，Ｓ２２，Ｓ２３に配置され、位置Ｓ２４には配置されていない例（なお、第３発光部５３及び第３受光部６３は設けられていない）を示す。
【０１０６】
【表１】
0005166123.tif 000002
【０１０７】
なお、各例において、第２発光部５２及び第２受光部６２を更に設けてもよく、あるいは設けなくてもよい。また、第３発光部５３及び第３受光部６３が設けられていない例において、第３発光部５３及び第３受光部６３を、第１発光部５１及び第１受光部６１の配置例と同様の配置位置で更に設けることができる。
【０１０８】
前記実施形態の携帯電話機１は、リボルバ式であるが、本発明は、これに制限されず、表示部側筐体３と操作部側筐体２とが、それらの幅方向に延びる回転軸を中心に回転（開閉）可能に連結される開閉式（ヒンジ式）であっても、本発明を適用して、回転位置を検出することができる。
【０１０９】
また、上述した実施形態では、回転軸４１に第２発光部５２及び第２受光部６２を設ける例を示したが、これに代えて、例えば、回転軸４１の中心部分に、操作部側筐体２から表示部側筐体３へ電気信号或いは電源を供給する電気回路配線を設けてもよい。また、例えば、操作部側筺体２に設けられた電源に接続されるとともに回転軸４１の中心に配置された操作部側電源配線と、回転軸４１の中心に配置されるとともに操作部側電源配線に回転可能に接触する操作部側電源配線とを備えてもよい。
【０１１０】
本発明の携帯電子機器は、携帯電話機以外の携帯電子機器に適用することができる。携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコン、操作部を備えるＥＬディスプレイ又は液晶ディスプレイが挙げられる。
【図面の簡単な説明】
【０１１１】
【図１】本発明の第１実施形態である携帯電話機１について、操作部側筐体２と表示部側筐体３とを開いた状態で示す正面図である。
【図２】図１に示す携帯電話機１について、操作部側筐体２と表示部側筐体３とを閉じた状態で示す正面図である。
【図３】操作部側筐体２における第１発光部５１及び第２受光部６２の配置位置及び表示部側筐体３における第１受光部６１及び第２発光部５２の配置位置を模式的に示す図である。
【図４】仮想的に、第１の円周Ｃ１をその延在方向Ｄ１に沿って直線状に展開すると共に、第２の円周Ｃ２をその延在方向Ｄ２に沿って直線状に展開して示す図である。
【図５】閉状態（第１の回転位置）の携帯電話機１を模式的に示す図（図２対応図である）である。
【図６】回転軸４１を中心に表示部側筐体３を操作部側筐体２に対して反時計回りに９０度回転させた状態（第２の回転位置）を示す図である。
【図７】回転軸４１を中心に表示部側筐体３を操作部側筐体２に対して１８０度回転させた状態（第３の回転位置）を示す図である。
【図８】回転軸４１を中心に表示部側筐体３を操作部側筐体２に対して反時計回りに２７０度回転させた状態（第４の回転位置）を示す図である。
【図９】第１実施形態の携帯電話機の機能を示す機能ブロック図である。
【図１０】処理部７０における機能ブロック図である。
【図１１】本発明の第２実施形態の携帯電話機における光の送受信に係る構成を模式的に示す図（図３相当図）である。
【符号の説明】
【０１１２】
１  携帯電話機（携帯電子機器）
２  操作部側筐体（第１筐体）
３  表示部側筐体（第２筐体）
４１  回転軸
５１，５１ｂ，５１ｃ  第１発光部
５２  第２発光部
５３，５３ｂ、５３ｃ  第３発光部
６１，６１ａ，６１ｂ，６１ｃ  第１受光部
６２  第２受光部
６３，６３ａ，６３ｂ，６３ｃ  第３受光部
７１  回転位置検出部（検出部）
Ｃ１  第１の円周
Ｃ２  第２の円周
Ｃ３  第３の円周
Ｃ４  第４の円周
Ｒ  光
【図１】
0005166123.tif 000003
【図２】
0005166123.tif 000004
【図３】
0005166123.tif 000005
【図４】
0005166123.tif 000006
【図５】
0005166123.tif 000007
【図６】
0005166123.tif 000008
【図７】
0005166123.tif 000009
【図８】
0005166123.tif 000010
【図９】
0005166123.tif 000011
【図１０】
0005166123.tif 000012
【図１１】
0005166123.tif 000013